(57)【特許請求の範囲】
【請求項１】
清掃具の清掃部が通過可能な開口部を備えた収納ケースと、該収納ケースの開口部を開閉自在な蓋体とが備えられ、前記蓋体には、清掃具の清掃部から滴下する液体を受止め可能な受液部が設けられ、前記収納ケースの開口部の下方側部位には、前記蓋体の底面に突設された係合部が抜き差し自在で、かつ、その係合部の差し込み部位を支点として揺動開閉自在に支持する係合受け部が形成されている清掃具ケースであって、
前記蓋体には、該蓋体を脱着操作するための把手と、前記清掃具の柄を前後方向及び左右方向の移動を規制した吊下げ状態で脱着自在に係止保持する係止保持手段が設けられているとともに、前記受液部の下面と係合部の下端とを同一高さ位置に設定して、前記受液部の下面と前記係合部が、前記蓋体の係止保持手段に係止保持されている清掃具の柄が鉛直又は略鉛直方向に向く状態で蓋体を自立させる脚部に構成されている清掃具ケース。
【請求項２】
前記把手の両端を蓋体に取付ける取付け部が、前記係止保持手段よりも下方で、かつ、前記係止保持手段で吊下げ保持された柄の両側脇位置に突設されている請求項１記載の清掃具ケース。
【請求項３】
清掃具の清掃部が通過可能な開口部を備えた収納ケースと、該収納ケースの開口部を開閉自在な蓋体とが備えられ、前記蓋体には、清掃具の清掃部から滴下する液体を受止め可能な受液部が設けられ、前記収納ケースの開口部の下方側部位には、前記蓋体の底面に突設された係合部が抜き差し自在で、かつ、その係合部の差し込み部位を支点として揺動開閉自在に支持する係合受け部が形成されている清掃具ケースであって、
前記蓋体には、該蓋体を脱着操作するための把手と、前記清掃具の柄を前後方向及び左右方向の移動を規制した吊下げ状態で脱着自在に係止保持する係止保持手段が設けられているとともに、前記受液部の下面と前記係合部が、前記蓋体の係止保持手段に係止保持されている清掃具の柄が鉛直又は略鉛直方向に向く状態で蓋体を自立させる脚部に構成されているとともに、
前記収納ケースの上側部には、それの上部開口を通して脱着自在な上方開口の角型の容器が設けられ、前記収納ケースの上部開口には、該開口を開閉自在な第２蓋体を備えた装着枠体が脱着自在に設けられているとともに、前記装着枠体には、前記収納ケースの内面と容器の外面との間に入り込むことにより、前記容器に装着された収納袋の開口周縁部分を折り返し状態で押え付ける筒状の袋押え部が形成され、この袋押え部の各角部側壁部の最大上下幅が、角部側壁部の隣接間の中間壁部の上下幅よりも大に構成されている清掃具ケース。
【請求項４】
前記角部側壁部のうち、角相当位置から相対面する一組の中間壁部側に偏倚した部位が最大上下幅に構成されている請求項３記載の清掃具ケース。
【発明の詳細な説明】
【技術分野】
【０００１】
本発明は、トイレ清掃ブラシ等の清掃具の清掃部が通過可能な開口部を備えた収納ケースと、該収納ケースの開口部を開閉自在な蓋体とが備えられ、前記蓋体には、清掃具の清掃部から滴下する液体を受止め可能な受液部が設けられ、前記収納ケースの開口部の下方側部位には、前記蓋体の底面に突設された係合部が抜き差し自在で、かつ、その係合部の差し込み部位を支点として揺動開閉自在に支持する係合受け部が形成されている清掃具ケースに関する。
【背景技術】
【０００２】
従来の清掃具ケースでは、前記受液部の下面を含む蓋体の外底面全体が偏平面に形成され、この偏平な外底面の前端側に板状の係合部が突設されているとともに、前記清掃具ケースには、前記清掃具の柄を左右方向の移動のみを規制した吊下げ状態で脱着自在に係止保持する係止保持手段が設けられているとともに、前記蓋体の内面には、清掃具ケースの係止保持手段に係止保持されている清掃具の柄に対して前方側から外套する横断面略コの字状の把持部兼用の柄カバー部が形成されている（特許文献１、２参照）。
【０００３】
【特許文献１】実用新案登録第３０１２１７２号
【特許文献２】実用新案登録第３０４６７７８号
【発明の開示】
【発明が解決しようとする課題】
【０００４】
従来の清掃具ケースは、前記蓋体の偏平な外底面の前端側に突設されている板状の係合部を、前記収納ケースの開口部の下方側部位に形成されている係合受け部に差し込むだけで、その係合部の差し込み部位を支点として蓋体を揺動開閉自在に支持することができるとともに、清掃具を係止保持した蓋体のみを収納ケースから分離して清掃個所に持ち運ぶことができ、清掃後も、清掃具の清掃部から滴下する液体を受液部で受止めながら収納ケースの設置個所まで持ち運ぶことができる利点がある。
【０００５】
しかしながら、この種の清掃具ケースでは、蓋体の偏平な外底面の前端側に板状の係合部が突設されているため、蓋体を清掃個所近傍に載置したとき、前記係合部の突出代だけ蓋体が後方側に傾動し、蓋体の接地姿勢が不安定になる。しかも、この蓋体の柄カバー部に装着されている清掃具の柄は後方側に抜き出し移動することが可能であるため、持ち運び途中や載置時等において振動が作用すると、蓋体の柄カバー部から清掃具が抜け落ちたり、蓋体が清掃具と一緒に傾倒する問題がある。
【０００６】
本発明は、上述の実状に鑑みて為されたものであって、その主たる課題は、前記蓋体に設けられる受液部と係合部及び清掃具の柄の係止構造の合理的な改造により、清掃具を係止保持させたまま蓋体を清掃近傍個所に安定良く自立させることができ、しかも、持ち運び途中や載置時に作用する振動に起因する清掃具の脱落や傾倒を防止することのできる清掃具ケースを提供する点にある。
【課題を解決するための手段】
【０００７】
本発明による第１の特徴構成は、清掃具の清掃部が通過可能な開口部を備えた収納ケースと、該収納ケースの開口部を開閉自在な蓋体とが備えられ、前記蓋体には、清掃具の清掃部から滴下する液体を受止め可能な受液部が設けられ、前記収納ケースの開口部の下方側部位には、前記蓋体の底面に突設された係合部が抜き差し自在で、かつ、その係合部の差し込み部位を支点として揺動開閉自在に支持する係合受け部が形成されている清掃具ケースであって、
前記蓋体には、該蓋体を脱着操作するための把手と、前記清掃具の柄を前後方向及び左右方向の移動を規制した吊下げ状態で脱着自在に係止保持する係止保持手段が設けられているとともに、前記受液部の下面と係合部の下端とを同一高さ位置に設定して、前記受液部の下面と前記係合部が、前記蓋体の係止保持手段に係止保持されている清掃具の柄が鉛直又は略鉛直方向に向く状態で蓋体を自立させる脚部に構成されている点にある。
【０００８】
上記特徴構成によれば、前記収納ケースの係合受け部から係合部を引抜いて分離された蓋体は、それに設けられている受液部の下面と係合部の下端とが脚部として接地して、この蓋体の係止保持手段に清掃具の柄を係止保持させている状態においても、清掃具の柄が鉛直又は略鉛直方向に向く状態で安定的に自立させることができる。
【０００９】
しかも、前記蓋体に設けられた把手により、清掃具を係止保持させたまま蓋体の脱着操作を簡便に行うことができるばかりでなく、本来の設置個所にある清掃具ケースから清掃個所まで容易に持ち運ぶことができ、さらに、その持ち運び途中や載置時において振動が作用しても、前記蓋体の係止保持手段に係止保持されている清掃具の柄は、前後方向及び左右方向の移動が規制されているから、蓋体から清掃具が脱落することを抑制することができる。
【００１０】
従って、前記蓋体に設けられる受液部の下面と係合部の下端との高さ位置を合わせ、且つ蓋体の係止保持手段による係止構造を上述の如く工夫することにより、清掃具を係止保持させたまま蓋体を清掃近傍個所に安定良く自立させることができるとともに、持ち運び途中や載置時に作用する振動に起因する清掃具の脱落や傾倒を防止することができる。
【００１１】
本発明による第２の特徴構成は、前記把手の両端を蓋体に取付ける取付け部が、前記係止保持手段よりも下方で、かつ、前記係止保持手段で吊下げ保持された柄の両側脇位置に突設されている点にある。
【００１２】
上記特徴構成によれば、前記係止保持手段に吊下げ状態で係止保持されている清掃具が持ち運び途中での振動によって揺れ動くことを、前記把手の両端を蓋体に取付ける取付け部を利用して抑制することができる。
【００１３】
本発明による第３の特徴構成は、清掃具の清掃部が通過可能な開口部を備えた収納ケースと、該収納ケースの開口部を開閉自在な蓋体とが備えられ、前記蓋体には、清掃具の清掃部から滴下する液体を受止め可能な受液部が設けられ、前記収納ケースの開口部の下方側部位には、前記蓋体の底面に突設された係合部が抜き差し自在で、かつ、その係合部の差し込み部位を支点として揺動開閉自在に支持する係合受け部が形成されている清掃具ケースであって、
前記蓋体には、該蓋体を脱着操作するための把手と、前記清掃具の柄を前後方向及び左右方向の移動を規制した吊下げ状態で脱着自在に係止保持する係止保持手段が設けられているとともに、前記受液部の下面と前記係合部が、前記蓋体の係止保持手段に係止保持されている清掃具の柄が鉛直又は略鉛直方向に向く状態で蓋体を自立させる脚部に構成されているとともに、
前記収納ケースの上側部には、それの上部開口を通して脱着自在な上方開口の角型の容器が設けられ、前記収納ケースの上部開口には、該開口を開閉自在な第２蓋体を備えた装着枠体が脱着自在に設けられているとともに、前記装着枠体には、前記収納ケースの内面と容器の外面との間に入り込むことにより、前記容器に装着された収納袋の開口周縁部分を折り返し状態で押え付ける筒状の袋押え部が形成され、この袋押え部の各角部側壁部の最大上下幅が、角部側壁部の隣接間の中間壁部の上下幅よりも大に構成されている点にある。
【００１４】
上記特徴構成によれば、前記収納ケースの上部開口を通して脱着自在に装着された容器を、収納ケースの上部開口に設けられる装着枠体の第２蓋体で体裁良く覆うことができるとともに、この装着枠体に形成されている筒状の袋押え部を、収納ケースの内面と容器の外面との間に入り込ませることにより、容器に装着された収納袋の開口周縁部分を折り返し状態で押え付けることができる。
【００１５】
しかも、前記袋押え部の各角部側壁部の最大上下幅が、角部側壁部の隣接間の中間壁部の上下幅よりも大に構成されているので、角部側壁部が先行して収納ケースの内面と容器の外面との間に入り込むことになり、前記袋押え部の軽量化を図りながら容器に装着された収納袋の開口周縁部分を偏りの少ない状態でスムーズに折り返すことができる。
【００１６】
本発明による第４の特徴構成は、前記各角部側壁部のうち、角相当位置から相対面する一組の中間壁部側に偏倚した部位が最大上下幅に構成されている点にある。
【００１７】
上記特徴構成によれば、装着枠体の筒状の袋押え部を収納ケースの内面と容器の外面との間に入り込ませる初期段階において、この袋押え部の各角部側壁部の二面が同時に作用することがなく、袋押え部の装着操作の容易化を図ることができる。
【発明を実施するための最良の形態】
【００１８】
〔第１実施形態〕
図１〜図１４は、主としてトイレ用として使用される清掃具ケースを示し、短辺側の側面及び長辺側の側面が共に外方側に少し湾曲した直方体に近い形状に成形された収納ケースＡの下半部に、それの前面板１Ａから左右の両側面板１Ｂの一部に回り込む状態で開口形成された下側開口部３を通して清掃具（洗浄ブラシ等）４のブラシ部（清掃部の一例）４Ａを脱着自在に収納する下側収納空間Ｓ１が形成されているとともに、前記収納ケースＡの上半部には、それの上面全体が開口形成された上側開口部５を通して上方開口の角型の容器６を脱着自在に収納する上側収納空間Ｓ２が形成されている。
【００１９】
前記下側開口部３を開閉する合成樹脂製の蓋体７の下部には、図２〜図５に示すように、清掃具４のブラシ部４Ａから滴下する液体を受止め可能な受液部８が設けられ、前記蓋体７の上部には、該蓋体７を脱着操作するための平面視略Ｕの字状の把手９と、前記清掃具４の柄４Ｂを前後方向及び左右方向の移動を規制し且つ吊下げ状態で脱着自在に係止保持する係止保持手段１０が設けられている。
【００２０】
前記収納ケースＡの上側開口部５には、図５〜図１４に示すように、水平軸芯周りで上下方向に揺動開閉自在な第２蓋体１２を備えた環状の装着枠体１３が脱着自在に設けられ、この装着枠体１３には、前記収納ケースＡの内面と容器６の外面との間に入り込むことにより、前記容器６に装着された収納袋１４の開口周縁部分１４ａを折り返し状態で押え付ける筒状の袋押え部である袋押え板部１５が一体形成されている。
【００２１】
そして、図１３、図１４に示すように、前記容器６内に装着された収納袋１４の開口周縁部分１４ａを該容器６の上側開口端部に沿って断面略Ｕ字状に折り返し、この状態で容器６の開口端部に対して環状の装着枠体１３を嵌合装着することにより、収納袋１４が容器６内にずり落ちたり、収納袋１４の開口周縁部分が容器６外方に脹れ出すことを抑制することができる。
【００２２】
前記収納ケースＡは、図１、図２、図５に示すように、前記下側開口部３と上側開口部５とを備え、且つ下方にも開口する合成樹脂製のケース本体１と、該ケース本体１の下部に対して着脱自在に嵌合装着される合成樹脂製の底部材２から構成されているとともに、前記ケース本体１内には、下側収納空間Ｓ１と上側収納空間Ｓ２とに区画する仕切り壁１Ｄが形成され、更に、前記前面板１Ａには、蓋体７を閉止姿勢にしたとき、該蓋体７の係止保持手段１０に係止保持されている清掃具４の柄４Ｂが前方から入り込む凹部１１が形成されている。
【００２３】
前記仕切り壁１Ｄには、図５に示すように、下側収納空間Ｓ１と上側収納空間Ｓ２とを連通する第１換気孔１６が形成されているとともに、前記ケース本体１の後面板１Ｃには、下側収納空間Ｓ１と外部とを連通する第２換気孔１７が形成されている。
【００２４】
前記ケース本体１の下側開口部３における下部立ち上り壁１Ｅには、図２に示すように、前記蓋体７の下端面７ａに当接する載置面１ａが形成され、この載置面１ａの前端側の左右中央位置には、前記蓋体７の下端面７ａに突設された板状の係合部１８が上下方向から抜き差し自在で、かつ、その係合部１８の差し込み部位を支点として揺動開閉自在に支持する長方形状の係合孔（係合受け部の一例）１９と、平面視において弧状に湾曲する前記蓋体７の前面板７Ａにおける下端の開閉移動を許容する、換言すれば、前記蓋体７の前面板７Ａにおける下端の開閉移動軌跡と干渉しない為の前下がり傾斜の傾斜面１ｄが形成されている。
尚、前記傾斜面１ｄを、蓋体７の前面板７Ａにおける下端との当接により該蓋体７を最大開き位置に保持する規制面に構成してもよい。
【００２５】
前記収納ケース１の下側開口部３における両側面板１Ｂの前端には、左右方向での対向間隔Ｗ１が前記蓋体７の受液部８の左右方向幅Ｗよりも狭く設定してあるフランジ部１Ｆが一体形成され、この両フランジ部１Ｆの下半側には、前記受液部８の抜き差しを許容するべく、左右方向での対向間隔Ｗ２が蓋体７の受液部８の左右方向幅Ｗよりも大となる切欠き部１ｂが形成されている。
【００２６】
前記切欠き部１ｂの高さは、図２、図５に示すように、前記蓋体７が係合部１８の差し込み部位を支点として開き揺動したとき、前記切欠き部１ｂの上端となるフランジ部１Ｆの中間段差個所１ｆに前記受液部８の上端縁が当接して、前記蓋体７を最大開き位置に保持可能な高さに設定されている。
【００２７】
前記蓋体７は、図３、図４に示すように、前面板７Ａと左右の側面板７Ｂとを平面視略コの字状に一体形成してあり、この前面板７Ａと両側面板７Ｂとの下端部に亘って、前記下端面７ａが略Ｕの字状に表れる状態で前記受液部８が一体形成されているとともに、前記受液部８の下面８ａと係合部１８の下端とを同一高さ位置に設定して、この受液部８の下面８ａと係合部１８が、前記蓋体７の係止保持手段１０に係止保持されている清掃具４の柄４Ｂが鉛直又は略鉛直方向に向く状態で蓋体７を自立させる脚部に構成されている。
【００２８】
そして、前記収納ケースＡの係合孔１９から係合部１８を引抜いて分離された蓋体７を載置すると、この蓋体７は、それに一体形成されている受液部８の下面８ａと係合部１８の下端とが脚部として接地し、その状態では蓋体７の係止保持手段１０に係止保持されている清掃具４の柄４Ｂが鉛直又は略鉛直方向に向く姿勢となり、清掃具４の重心が受液部８の下面８ａと係合部１８の下端との間に位置するため、清掃具４の柄４Ｂを装着した状態でも安定的に自立させることができる。
【００２９】
しかも、前記蓋体７に設けられた把手９により、清掃具４を係止保持させたまま蓋体７の脱着操作を簡便に行うことができるばかりでなく、本来の設置個所にある清掃具ケースＡから清掃個所まで容易に持ち運ぶことができ、さらに、その持ち運び途中や載置時において振動が作用しても、前記蓋体７の係止保持手段１０に係止保持されている清掃具４の柄４Ｂは、前後方向及び左右方向の移動が規制されているから、蓋体７から清掃具４が脱落することを抑制することができる。
【００３０】
前記係止保持手段１０は、図２〜図４に示すように、蓋体７の前面板７Ａにおける内側面の上端に、清掃具４の柄４Ｂを構成する小幅の柄本体４ａとこれに外嵌したグリップ部４ｂとの間での段差部４ｃを受止め可能な一対の係止受け片１０ａを内方に向って一体的に突出形成するとともに、前記係止受け片１０ａには、受止められた柄４Ｂの左右方向での移動を接当規制する第１規制片１０ｂと、受止められた柄４Ｂの後方側への移動を接当規制する第２規制片１０ｃとが一体形成されている。
【００３１】
前記蓋体７の前面板７Ａの内面側には、図３、図４に示すように、把手９の両端を蓋体７に取付ける円筒状の取付け部２１が、前記係止保持手段１０の両係止受け片１０ａよりも下方位置で、かつ、前記係止保持手段１０で吊下げ保持された柄４Ｂの左右の両側脇位置に突設されている。
【００３２】
そして、前記係止保持手段１０に吊下げ状態で係止保持されている清掃具４が持ち運び途中での振動によって揺れ動くことを、前記把手９の両端を蓋体７に取付けるための取付け部２１を利用した合理的な改良で抑制することができる。
【００３３】
前記装着枠体１３は、図２、図５〜図８に示すように、容器６の上側開口端縁６ａに対して上方から着脱自在に嵌合する嵌合溝１３Ｄを形成する状態で一体成形される外側環状枠板１３Ａと内側環状枠板１３Ｂならびに環状天板１３Ｃとからなり、後方の短辺側の枠体部分には、前記第２蓋体１２の一対の取付けアーム１２Ａを枢支ピン２２周りで上下揺動自在に枢着するための取付け凹部１３Ｅが形成されているとともに、前記外側環状枠板１３Ａには前記袋押え板部１５が一体形成されている。
【００３４】
前記装着枠体１３には、図１１〜図１４に示すように、把持可能な姿勢と非把持姿勢とに切換自在な把持部材の一例で、前記装着枠体の中心位置を挟んで左右方向で相対向する部位において前記第２蓋体１２の揺動軸芯と平行な水平軸芯周りで起伏揺動自在に枢着された略コの字状の把手２５と、該把手２５の把持姿勢である起立姿勢への切換に連動して前記容器６と装着枠体１３と係合連結し、且つ前記把手２５の非把持姿勢である倒伏姿勢への切換に連動して前記容器６と装着枠体１３との係合連結を解除する連動連結手段Ｂが設けられている。
【００３５】
図７、図８に示すように、前記装着枠体１３の環状天板１３Ｃの前半側部位を略コの字状に窪み形成して、把手２５を倒伏姿勢で収納（格納）する凹部２６が形成され、この凹部２６を形成する内側環状枠板１３Ｂと把手２５の基端部との相対向する部位には、水平軸芯周りで起伏揺動自在に嵌合する枢支孔２７とピン状の枢支突起２８が形成されているとともに、前記把手２５における起伏揺動軸芯と平行な把持部分２５Ａの中央位置には、図９、図１０に示すように、凹部２６内の把手２５を指先でお越し操作するための指掛け突起２９が形成され、この指掛け突起２９に対応する装着枠体１３の前方の短辺側の枠体部分には、指掛け突起２９に対する操作用の空間を現出する傾斜面１３Ｆが形成されている。
【００３６】
前記連動連結手段Ｂが、前記容器６の両側面板６Ｃの外面上部における前後中央位置に突出形成された被係止部の一例である柱状の係止突起３０と、該係止突起３０に対して係脱可能な状態で把手２５の両基端部２５Ｂに一体形成された係止部の一例であるＬ字状の係止爪３１とから構成されているとともに、前記環状天板１３Ｃの前半側部位には、把手２５の起伏揺動に伴う前記係止爪３１の係脱揺動を許す開口３２が形成されている。
【００３７】
そして、図１２、図１４に示すように、前記容器６の上側開口端部に装着枠体１３を嵌合装着した状態で、この装着枠体１３に設けられている把手２５を非把持姿勢である倒伏姿勢から把持姿勢である起立姿勢に切換操作すると、この切換操作Ｆに連動する連動連結手段Ｂの係止爪３１が容器６の両側面板６Ｃに形成されている係止突起３０に係合して、容器６と装着枠体１３とが係合連結されるので、収納ケースＡの上側開口部５に対して、起立姿勢にある把手２５を把持して容器６と装着枠体１３とを一体化状態で出し入れすることができる。
【００３８】
それ故に、容器６を保持しながら装着枠体１３が脱落しないように押え付ける必要がなく、さらに、容器６から突出する起立姿勢にある把手２５を把持して操作するので、収納ケースＡの上側開口部５における内面と容器６の上側開口端部における外面との間の環状間隙が小さい場合でも、容器６を容易に脱着操作することができる。
【００３９】
また、図１３、図１４に示すように、前記袋押え板部１５の各角部側壁部１５Ａの最大上下幅Ｈが、角部側壁部１５Ａの隣接間に位置する両長辺側中間壁部１５Ｂの上下幅及び両短辺側中間壁部１５Ｃの上下幅よりも大に構成されているとともに、前記角部側壁部１５Ａのうち、角相当位置Ｐから両長辺側中間壁部１５Ｂ側に偏倚した部位１５ａが最大上下幅Ｈに構成されている。
【００４０】
前記装着枠体１３に形成されている筒状の袋押え部１５を、ケース本体１の内面と該ケース本体１の仕切り壁１Ｄに載置されている容器６の外面との間に入り込ませて、容器６に装着された収納袋１４の開口周縁部分１４ａを折り返し状態で押え付ける際、前記袋押え板部１５の各角部側壁部１５Ａの最大上下幅Ｈが、角部側壁部１５Ａの隣接間の長辺側中間壁部１５Ｂの上下幅及び両短辺側中間壁部１５Ｃの上下幅よりも大に構成されているので、角部側壁部１５Ａが先行してケース本体１の内面と容器６の外面との間に入り込むことになり、前記袋押え板部１５の軽量化を図りながら容器６に装着された収納袋１４の開口周縁部分１４ａを偏りの少ない状態でスムーズに折り返すことができる。
【００４１】
しかも、前記角部側壁部１５Ａの角相当位置Ｐから両長辺側中間壁部１５Ｂ側に偏倚した部位１５ａが最大上下幅Ｈに構成されているが故に、前記装着枠体１３の筒状の袋押え板部１５をケース本体１の内面と容器６の外面との間に入り込ませる初期段階において、この袋押え板部１５の各角部側壁部１５Ａにおける長辺側部位１５ａと短辺側部位１５ｂとの二面が同時に作用することがなく、前記装着枠体１３に一体形成された袋押え板部１５の装着操作の容易化を図ることができる。
【００４２】
また、図１２〜図１４に示すように、前記各角部側壁部１５Ａの短辺側部位１５ｂにおける下端縁は、最大上下幅Ｈとなる長辺側部位１５ａの下端縁に対してこれよりも小なる上下幅で弧状に連続形成されているとともに、前記各角部側壁部１５Ａの短辺側部位１５ｂにおける下端縁と前記短辺側中間壁部１５Ｃの最小上下幅となる部位の下端縁との間が、短辺側中間壁部１５Ｃ側ほど上方に位置する傾斜端縁に形成され、更に、前記各角部側壁部１５Ａの長辺側部位１５ａにおける下端縁と長辺側中間壁部１５Ｂの最小上下幅となる部位の下端縁との間が、長辺側中間壁部１５Ｂ側ほど上方に位置する弧状縁に構成されている。
【００４３】
前記容器６の前面板６Ａには、ケース本体１の凹部１１の内面側に対して上方から外套可能な凹部６Ｂが形成されている。
【００４４】
〔その他の実施形態〕
（１）上述の第１実施形態では、清掃具４の清掃部４Ａとして、多数のブラシ毛を備えたブラシ部を例に挙げて説明したが、この清掃部４Ａとしてはスポンジや布等であってもよく、また、交換可能な使い捨てタイプの清掃部４Ａであってもよい。
【００４５】
（２）上述の第１実施形態では、汚物等を収納可能な容器６を脱着自在に備えた収納ケースＡを例に挙げて説明したが、このような容器６を有さない収納ケースＡであってもよく、更に、容器６の代わりに洗剤等の収納室を備えた収納ケースＡであってもよい。
【００４６】
（３）上述の第１実施形態では、前記下側開口部３を開閉する合成樹脂製の蓋体７の下部に、清掃具４のブラシ部４Ａから滴下する液体を受止め可能な受液部８を一体形成したが、この蓋体７と受液部８とを別体で結成して接着剤やビス等の適宜手段で固着してもよい。
【００４７】
（４）上述の第１実施形態では、前記蓋体７の底面に一つの係合部１８を突設したが、この係合部１８と係合孔１９との差し込み部位を支点として揺動開閉自在に支持することのできる状態であれば、前記係合部１８を複数個形成してもよい。
【００４８】
（５）上述の第１実施形態では、前記係合部１８を板状に形成し、前記係合受け部１９を係合孔から構成したが、この係合部１８及び係合受け部１９としては、抜き差し自在で、かつ、その差し込み部位を支点として蓋体７を揺動開閉自在に支持することのできるものであれば、如何なる構造に構成してもよい。
【００４９】
（６）上述の第１実施形態では、前記受液部８の下面８ａ全体を平滑面に形成したが、この下面８ａを凹凸状に形成して実施してもよい。
要するに、前記受液部８の下面８の形状としては、前記係合部１８との協働により、前記蓋体７の係止保持手段１０に係止保持されている清掃具４の柄４Ｂが鉛直又は略鉛直方向に向く状態で蓋体７を自立させることのできるものであれば、如何なる形状に構成してもよい。
【００５０】
（７）上述の第１実施形態では、前記蓋体７の上部に、該蓋体７を脱着操作するための平面視略Ｕの字状の把手９を取付けたが、この把手９としては、蓋体７を脱着操作することのできるものであれば、蓋体７の一部を利用して兼用構成してもよい。
（８）上述の各実施形態では、容器６の開口端部に対して脱着自在に嵌合装着可能で、且つその嵌合装着時に容器６内に装着された収納袋１４の開口周縁部分１４ａを該容器６の外面に沿って折り返された状態に維持する装着枠体１３を環状枠体に構成したが、その環状方向の一箇所が切断されたＣ字等の略環状枠体に構成してもよい。
【００５１】
（９）上述の各実施形態では、前記装着枠体１３に設けられる把持部材として起伏揺動自在な把手９又は揺動開閉自在な蓋体１２から構成したが、把持部材としては上下方向に出し入れ移動自在なものであってもよい。
要するに、前記把持部材としては、把持可能な姿勢と非把持姿勢とに切換自在なものであれば、如何なる構造に構成してもよい。
（１０）前記連動連結手段Ｂとしては、把持部材の把持姿勢への切換に連動して前記容器６と装着枠体１３と係合連結し、且つ前記把持部材の非把持姿勢への切換に連動して前記容器６と装着枠体１３との係合連結を解除することのできるものであれば、如何なる構造に構成してもよい。
【図面の簡単な説明】
【００５２】
【図１】本発明の清掃具ケースの第１実施形態を示す全体の斜視図
【図２】全体の分解斜視図
【図３】清掃具を係止保持する蓋体を自立させたときの断面側面図
【図４】清掃具を係止保持する蓋体を自立させたときの要部の拡大斜視図
【図５】蓋体を開き揺動させたときの一部省略断面側面図
【図６】容器の平面図
【図７】装着枠体の平面図
【図８】図７のＶＩＩＩ−ＶＩＩＩ線断面図
【図９】把手の平面図
【図１０】把手の一部切欠き側面図
【図１１】蓋体を閉じた状態での要部の拡大断面背面図
【図１２】蓋体を開いた状態で把手を起立させたときの要部の拡大断面側面図
【図１３】容器と装着枠体の分解断面側面図
【図１４】収納ケースから容器及び装着枠体を少し引き出したときの要部の斜視図
【符号の説明】
【００５３】
Ａ        収納ケース
Ｐ        角相当位置
３        開口部（下側開口部）
４        清掃具
４Ａ      清掃部（ブラシ部）
４Ｂ      柄
５        開口部（上側開口部）
６        容器
７        蓋体
８        受液部
８ａ      下面
９        把手
１０      係止保持手段
１２      第２蓋体
１３      装着枠体
１４      収納袋
１５      袋押え部
１５Ａ    角部側壁部
１５Ｂ    中間壁部（長辺側中間壁部）
１５Ｃ    中間壁部（短辺側中間壁部）
１８      係合部
１９      係合受け部（係合孔）
２１      取付け部
【図１】
0005122311.tif 000002
【図２】
0005122311.tif 000003
【図３】
0005122311.tif 000004
【図４】
0005122311.tif 000005
【図５】
0005122311.tif 000006
【図６】
0005122311.tif 000007
【図７】
0005122311.tif 000008
【図８】
0005122311.tif 000009
【図９】
0005122311.tif 000010
【図１０】
0005122311.tif 000011
【図１１】
0005122311.tif 000012
【図１２】
0005122311.tif 000013
【図１３】
0005122311.tif 000014
【図１４】
0005122311.tif 000015